(57)【要約】【課題】高いセキュリティを確保した上で、操作性を向上させるとともに消費電力の抑制を実現することができる携帯端末装置を提供する。【解決手段】ＣＰＵ１７が、所定の設定条件が成立したとき（例えば所定時間キー操作が行われなかったとき）にロック状態に制御し、キー入力部１３からのデータ入力に応じて、衛星からの電波にもとづく現在位置の位置情報をＧＰＳ部１５から取得し、取得した位置情報にもとづいて、現在位置が使用上安全な場所としてあらかじめ設定されたセキュリティエリア内であるか否かを判定し、現在位置が当該エリア内でない（セキュリティエリア外である）と判定したことを条件に、ユーザのロック解除操作に応じた使用者認証を行った後にロック状態を解除する。【選択図】図１
2008227758.tif 000002
【特許請求の範囲】
【請求項１】
使用者の操作に応じてデータを入力する入力部と、
衛星からの電波を受信し、受信した電波にもとづいて現在位置の位置情報を認識する位置情報認識手段と、
前記入力部からのデータ入力に応じて、前記位置情報認識手段から現在位置の位置情報を取得し、取得した位置情報にもとづいて、現在位置が使用上安全な場所としてあらかじめ設定されたエリア内であるか否かを判定するエリア判定手段と、
所定の設定条件が成立したときにロック状態に制御するロック状態設定手段と、
所定の解除条件が成立したときにロック状態を解除するロック状態解除手段とを備え、
前記ロック状態解除手段は、前記エリア判定手段によって現在位置がエリア内でないと判定されたことを条件に、使用者認証を行った後にロック状態を解除する
ことを特徴とする携帯端末装置。
【請求項２】
エリア判定手段は、現在位置がエリア内であると判定した場合、定期的に位置情報認識手段から現在位置の位置情報を取得し、取得した位置情報にもとづいて現在位置がエリア内であるか否かを判定し、
ロック状態設定手段は、前記エリア判定手段によって現在位置がエリア内でないと判定された場合、ロック状態に制御する
ことを特徴とする請求項１記載の携帯端末装置。
【請求項３】
ロック状態設定手段は、入力部からのデータ入力が所定時間なかったときにロック状態に制御する
ことを特徴とする請求項１または請求項２記載の携帯端末装置。
【請求項４】
ロック状態解除手段は、エリア判定手段によって現在位置がエリア内であると判定された場合においても、現在位置がエリア内でないと判定された場合とは異なる簡易操作による使用者認証を行った後にロック状態を解除する
ことを特徴とする請求項１から請求項３のうちのいずれか１項に記載の携帯端末装置。
【請求項５】
携帯端末装置における制御部が制御プログラムに従って、
所定の設定条件が成立したときにロック状態に制御し、
使用者の操作にもとづくデータ入力に応じて、衛星からの電波にもとづいて現在位置の位置情報を取得し、
取得した位置情報にもとづいて、現在位置が使用上安全な場所としてあらかじめ設定されたエリア内であるか否かを判定し、
現在位置がエリア内でないと判定したことを条件に、使用者認証を行った後にロック状態を解除する
ことを特徴とするロック制御方法。
【請求項６】
現在位置がエリア内であると判定した場合、定期的に現在位置の位置情報を取得し、取得した位置情報にもとづいて現在位置がエリア内であるか否かを判定し、
現在位置がエリア内でないと判定した場合、ロック状態に制御する
ことを特徴とする請求項５記載のロック制御方法。
【請求項７】
携帯端末装置におけるロック状態の設定および解除を制御するためのロック制御用プログラムであって、
所定の設定条件が成立したときにロック状態に制御するロック状態設定処理と、
使用者の操作にもとづくデータ入力に応じて、衛星からの電波にもとづいて現在位置の位置情報を取得する位置情報取得処理と、
取得した位置情報にもとづいて、現在位置が使用上安全な場所としてあらかじめ設定されたエリア内であるか否かを判定するエリア判定処理と、
現在位置がエリア内でないと判定したことを条件に、使用者認証を行った後にロック状態を解除するロック状態解除処理と
を前記携帯端末装置に実行させるロック制御用プログラム。
【請求項８】
エリア判定処理において、現在位置がエリア内であると判定した場合、定期的に現在位置の位置情報を取得し、取得した位置情報にもとづいて現在位置がエリア内であるか否かを判定し、
ロック状態解除処理において、現在位置がエリア内でないと判定した場合、ロック状態に制御する
ことを特徴とする請求項７記載のロック制御用プログラム。
【発明の詳細な説明】
【技術分野】
【０００１】
本発明は、使用が制限されているロック状態の設定・解除を制御可能な携帯端末装置、ロック制御方法およびロック制御用プログラムに関する。
【背景技術】
【０００２】
近年の携帯電話機の高機能化・多機能化に伴い、携帯電話機が財布としての機能を持つようになっている。このような携帯電話機では、携帯電話機内に保存されているアドレス帳やメールなどの個人情報を保護するだけでなく、使用者以外の携帯電話機の財布としての使用を制限することも必要になる。このように、ますます携帯電話機のセキュリティを確保することが重要となってきている。一方、携帯電話機のセキュリティを強化すればするほど、使用者の携帯電話機の使い勝手が悪くなるおそれがある。そこで、今日では、高いセキュリティを確保しながらも使い勝手（操作性）の良い携帯電話機が求められている。
【０００３】
携帯電話機のセキュリティを実現する方法としては、携帯電話機の使用者以外の使用を禁止（制限）するようにロックをかけるのが一般的である。ロックを設定する方法には、使用者が意識的に（手動で）ロックをかける方法以外に、一定時間経過後に自動的にロックをかける方法や、折り畳み式の携帯電話機を閉じたときにロックをかける方法もある。また、使用者の通信機と携帯電話機とが近距離無線通信で無線キーを通信し、無線キーが通信可能かどうかによって携帯電話機が使用者の近距離にあるかどうかを判断し、近距離にない場合にロックをかける方法がある。ロックを解除する方法には、パスワード入力による方法や、カメラが撮影した画像を利用した顔認証による方法、指紋認証による方法がある。また、Ｆｅｌｉｃａ（登録商標）機能を用いたＩＤ識別による方法、近距離無線通信における無線キーを用いたＩＤ識別による方法などもある。
【０００４】
さらに、従来技術として、基地局から取得した位置情報にもとづいて携帯電話機の位置が通常の行動範囲内であるかどうかを判定し、通常の行動範囲外であるときは、携帯電話機の動作を禁止する携帯電話機も提案されている（特許文献１参照）。
【０００５】
【特許文献１】特開２００１−１７７６４０号公報（段落０００８，０００９）
【発明の開示】
【発明が解決しようとする課題】
【０００６】
しかし、上述した携帯電話機のロックの設定・解除を制御する方法では以下のような課題がある。
【０００７】
携帯電話機のロックを手動で設定する方法では、使用者が常にロックを設定したかどうかを気にしなければならず、ロックを設定するのを忘れてしまうことが起こり得る。ロックを設定し忘れた場合は、携帯電話機のセキュリティが著しく低下した状態となってしまうので、これを避けるためには自動的にロックを設定する方法が好ましい。
【０００８】
一方、自動的にロックを設定する方法においてセキュリティを高めるためには頻繁にロック機能が働くように構成しておく必要がある。そして、頻繁にロック機能が働くように構成すると、ロックの解除も頻繁に行わなければならない。パスワード入力や認証でロックを解除する方法では、使用者の手間がかかってしまい、携帯電話機の操作性が低下してしまう。また、無線キーを用いてロックを設定する方法の場合、携帯電話機が使用者の近くにある場合は自動的にロックが解除されるので使用者の手間がかからないが、携帯電話機が通信機と常に通信を行わなければならず、消費電力が増加してしまい、携帯電話機の使用可能な時間が短くなってしまう。
【０００９】
また、特許文献１に記載された携帯電話機では、基地局から取得した位置情報にもとづいて携帯電話機の位置が通常の行動範囲内であるかどうかを判定し、通常の行動範囲外であるときは、携帯電話機の動作を禁止する。従って、携帯電話機の消費電力を抑制することができ、携帯電話機の使用可能な時間を長くすることができる。また、通常の行動範囲外を高いセキュリティを確保すべきエリアとみなして、携帯電話機の位置が通常の行動範囲外のときにロックをかけ、通常の行動範囲内を高いセキュリティを確保する必要のない安全なエリアとみなして、携帯電話機の位置が通常の行動範囲内のときにロックを解除するように構成すれば、使用者の手間をかけずに高いセキュリティを確保することができるとも考えられる。
【００１０】
しかし、基地局からの位置情報は、基地局の位置（基地局の地理的位置、すなわち緯度、経度）を示す情報であって、携帯電話機の位置を示す情報ではなく、基地局の位置にもとづいて高いセキュリティを確保する必要のない安全なエリアとみなすのは困難である。また、携帯電話機が特定の基地局と通信可能なエリアはかなり広範囲のエリアである。このような広範囲のエリアを安全なエリアとみなすのも困難である。
【００１１】
本発明は、上記のような課題を解決するためになされたものであり、高いセキュリティを確保した上で、操作性を向上させるとともに消費電力の抑制を実現することができる携帯端末装置、ロック制御方法およびロック制御用プログラムを提供することを目的とする。
【課題を解決するための手段】
【００１２】
以上の目的を達成するため、本発明による携帯端末装置は、使用者の操作に応じてデータを入力する入力部と、衛星からの電波を受信し、受信した電波にもとづいて現在位置の位置情報を認識する位置情報認識手段と、入力部からのデータ入力に応じて、位置情報認識手段から現在位置の位置情報を取得し、取得した位置情報にもとづいて、現在位置が使用上安全な場所としてあらかじめ設定されたエリア内であるか否かを判定するエリア判定手段と、所定の設定条件が成立したときにロック状態に制御するロック状態設定手段と、所定の解除条件が成立したときにロック状態を解除するロック状態解除手段とを備え、ロック状態解除手段は、エリア判定手段によって現在位置がエリア内でないと判定されたことを条件に、使用者認証を行った後にロック状態を解除することを特徴とする。
【００１３】
エリア判定手段は、現在位置がエリア内であると判定した場合、定期的に位置情報認識手段から現在位置の位置情報を取得し、取得した位置情報にもとづいて現在位置がエリア内であるか否かを判定し、ロック状態設定手段は、エリア判定手段によって現在位置がエリア内でないと判定された場合、ロック状態に制御するように構成されていてもよい。
【００１４】
ロック状態設定手段は、入力部からのデータ入力が所定時間なかったときにロック状態に制御するように構成されていてもよい。このような構成によれば、確実にロック状態に制御することができ、高いセキュリティを確保することができる。
【００１５】
ロック状態解除手段は、エリア判定手段によって現在位置がエリア内であると判定された場合においても、現在位置がエリア内でないと判定された場合とは異なる簡易操作による使用者認証を行った後にロック状態を解除するように構成されていてもよい。このような構成によれば、高いセキュリティを確保した上で、操作性の向上と消費電力の抑制を同時に実現することができる。
【００１６】
また、本発明によるロック制御方法は、携帯端末装置における制御部が制御プログラムに従って、所定の設定条件が成立したときにロック状態に制御し、使用者の操作にもとづくデータ入力に応じて、衛星からの電波にもとづいて現在位置の位置情報を取得し、取得した位置情報にもとづいて、現在位置が使用上安全な場所としてあらかじめ設定されたエリア内であるか否かを判定し、現在位置がエリア内でないと判定したことを条件に、使用者認証を行った後にロック状態を解除することを特徴とする。
【００１７】
現在位置がエリア内であると判定した場合、定期的に現在位置の位置情報を取得し、取得した位置情報にもとづいて現在位置がエリア内であるか否かを判定し、現在位置がエリア内でないと判定した場合、ロック状態に制御するように構成されていてもよい。
【００１８】
また、本発明によるロック制御用プログラムは、携帯端末装置におけるロック状態の設定および解除を制御するためのロック制御用プログラムであって、所定の設定条件が成立したときにロック状態に制御するロック状態設定処理と、使用者の操作にもとづくデータ入力に応じて、衛星からの電波にもとづいて現在位置の位置情報を取得する位置情報取得処理と、取得した位置情報にもとづいて、現在位置が使用上安全な場所としてあらかじめ設定されたエリア内であるか否かを判定するエリア判定処理と、現在位置がエリア内でないと判定したことを条件に、使用者認証を行った後にロック状態を解除するロック状態解除処理とを携帯端末装置に実行させることを特徴とする。
【００１９】
エリア判定処理において、現在位置がエリア内であると判定した場合、定期的に現在位置の位置情報を取得し、取得した位置情報にもとづいて現在位置がエリア内であるか否かを判定し、ロック状態解除処理において、現在位置がエリア内でないと判定した場合、ロック状態に制御するように構成されていてもよい。
【発明の効果】
【００２０】
以上のように、本発明では、所定の設定条件が成立したときにロック状態に制御し、使用者の操作にもとづくデータ入力に応じて、衛星からの電波にもとづいて現在位置の位置情報を取得し、取得した位置情報にもとづいて、現在位置が使用上安全な場所としてあらかじめ設定されたエリア内であるか否かを判定し、現在位置がエリア内でないと判定したことを条件に、使用者認証を行った後にロック状態を解除するように構成されているので、高いセキュリティを確保した上で、操作性を向上させることができる。
【００２１】
また、本発明では、現在位置がエリア内であると判定した場合、定期的に現在位置の位置情報を取得し、取得した位置情報にもとづいて現在位置がエリア内であるか否かを判定し、現在位置がエリア内でないと判定した場合、ロック状態に制御するように構成されているので、エリア外にいる場合の携帯端末装置の消費電力を抑制することができる。
【発明を実施するための最良の形態】
【００２２】
以下、本発明の実施の一形態を図面を参照して説明する。
【００２３】
実施の形態１．
図１は、本発明の携帯電話機の構成を示すブロック図である。図１に示すように、本発明の携帯電話機１０は、送受信部１１、表示部１２、キー入力部１３、タイマ部１４、ＧＰＳ部１５、メモリ１６およびＣＰＵ１７を備えている。なお、図１には示していないが、携帯電話機１０には、アンテナ、マイク、スピーカなどの携帯電話機の一般的な構成も備えている。また、携帯電話機１０は、通話機能のほかに、メールの送受信機能、Ｗｅｂサイトの閲覧機能、財布として機能（チャージされた電子マネーを使用して買い物をする機能）なども備えている。
【００２４】
図１に示す構成において、送受信部１１は、基地局（図示せず）を介して無線通信によってデータの送受信を行う回路である。表示部１２は、ＣＰＵ１７からの指示に従って携帯電話機１０本体の前面に配置された液晶表示画面（カラー液晶表示パネル）に各種データを表示する。キー入力部１３は、使用者からのキー入力を受け付け、その入力割り込みおよびデータをＣＰＵ１７に出力する回路である。使用者が操作可能なキー（ボタン）としては、確定キー、矢印キー、ＣＬＲキー（クリアキー）、数字キーなどがある。これらのキーは携帯電話機１０本体の前面に配置されている。
【００２５】
タイマ部１４は、所定のタイミング（時点）からの時間を計測する計時回路である。所定のタイミングとして、この実施の形態では、使用者によるキー操作が最後に行われたタイミングと、携帯電話機１０がセキュリティエリア内に存在すると判断されてからの一定時間毎のタイミング（ステップＳ６，Ｓ７３参照）とされている。
【００２６】
具体的には、タイマ部１４は、使用者によるキー操作が行われた時点から時間を計測する。そして、タイマ部１４は、キー入力部１３からのデータ入力が所定時間行われなかったこと（すなわち、使用者によっていずれのキーも所定時間操作されなかったこと）を検出したとき、その旨を通知する信号をＣＰＵ１７に出力する。ＣＰＵ１７は、タイマ部１４からの所定時間の「無操作」を示す信号を入力すると、ロックをかける制御を実行する。また、ＣＰＵ１７によって携帯電話機１０がセキュリティエリア内に存在すると判断された場合は、タイマ部１４は、そのタイミングから時間を計測する。そして、タイマ部１４は、計測を開始してから一定時間経過したことを検出したとき、その旨を通知する信号をＣＰＵ１７に出力する。ＣＰＵ１７は、一定時間経過を示す信号を入力すると、現在位置の位置情報を取得する制御を実行する。その後、携帯電話機１０がセキュリティエリアに存在する間は、タイマ部１４は、一定時間毎に時間の計測を開始し、一定時間が経過すると一定時間経過を示す信号をＣＰＵ１７に出力する。
【００２７】
ＧＰＳ部１５は、複数のＧＰＳ衛星から発信される電波を受信し、受信した電波にもとづいて現在位置（現在地）の緯度および経度を特定する回路である。なお、ＧＰＳ衛星から発信される電波を受信できない場所では、ＧＰＳ部１５は、移動体通信網の基地局からの送信される位置情報を利用して現在位置を特定する。
【００２８】
メモリ１６は、携帯電話機１０の動作に必要な制御プログラムや、携帯電話機１０の設定情報、使用者の個人情報、アドレス帳の情報などの様々な情報を記憶する記憶媒体である。ＣＰＵ（中央処理装置）１７は、バス２０を介して各部と接続され、各部の制御を制御プログラムに従って実行する。携帯電話機のロックの設定・解除の制御もＣＰＵ１７によって実行される。
【００２９】
図２は、セキュリティエリアの例を示す説明図である。この実施の形態では、高いセキュリティを確保する必要のない安全なエリアをセキュリティエリア（あるいはロック解除エリア）という。図２に示す例では、携帯電話機１０の使用者の自宅の周辺および会社（職場）の周辺をセキュリティエリアとしている。後述するように、セキュリティエリア内では使用者は簡易な操作でロック解除を行うことができる。使用者の自宅や会社は、携帯電話機１０が不正に使用される可能性が低いと考えられ、また、このエリア内では使用者による携帯電話機１０の使用頻度が高いと想定されるので、面倒なロック解除の操作を要求すると手間がかかって操作性が低下してしまうからである。
【００３０】
次に、本発明の携帯電話機１０の動作について説明する。
【００３１】
まず、携帯電話機１０におけるロック設定・解除の制御の前提動作について説明する。この実施の形態では、予め使用者がセキュリティエリアの登録を行う。具体的には、使用者がセキュリティエリアとして登録しようと思った位置（自宅など）にいるときに、使用者はキーを操作してセキュリティエリアの登録画面を表示部１２に表示させる。そして、使用者はキーを操作してセキュリティエリアの登録を行う。ＣＰＵ１７は、キー入力部１３からのセキュリティエリアの登録を示す信号を入力すると、ＧＰＳ部１５に対して現在の位置情報を取得するように指示する。ＧＰＳ部１５は、複数のＧＰＳ衛星から発信される電波を受信し、受信した電波にもとづいて現在位置（現在地）の緯度および経度を示す位置情報を取得する。そして、ＧＰＳ部１５は、取得した位置情報をＣＰＵ１７に出力する。ＣＰＵ１７は、ＧＰＳ部１５から出力された位置情報を入力すると、その位置情報をメモリ１６の所定領域に登録する。このような処理によって、セキュリティエリアの中心位置が登録されたことになる。なお、セキュリティエリアの範囲は、あまりに狭い範囲であると面倒なロック解除の操作を頻繁に行わなければならなくなり操作性を著しく低下させてしまうし、あまりに広い範囲であるとセキュリティを確保できなくなるので、例えば中心位置から半径１０ｍ程度の範囲とされる。
【００３２】
また、この実施の形態では、使用者によるキー操作が所定時間行われなかったとき（無操作が所定時間継続したとき）に自動的にロックがかかるように設定されている。具体的には、上述したように、タイマ部１４が、キー入力部１３からのデータ入力が所定時間以上行われなかったことを検出すると、所定時間の無操作を示す信号をＣＰＵ１７に出力する。ＣＰＵ１７は、タイマ部１４からの所定時間以上の無操作を示す信号を入力すると、ロックをかける制御を実行する。例えば、メモリ１６の領域にロック制御中であることを示すフラグをセットする。このような制御によって、使用者がロックをかけたかどうかについて気にする必要がなくなり、また高いセキュリティを確保することができる。なお、自動的にロックをかける「所定時間」は例えば１０分程度としている。
【００３３】
なお、この実施の形態において、ロックをかけた状態では、ロック解除の操作を行うためのキー以外の全てのキーの操作が禁止される（キー入力部１３からのデータ入力を受け付けない）ことを想定している。ただし、このような状態にかぎられず、例えば個人情報にアクセスするためのキーの操作だけを禁止するというように特定のキーの操作のみ禁止するようにしてもよい。
【００３４】
図３は、実施の形態１における携帯電話機のロック解除処理を示すフローチャートである。図３に示す処理において、まず、ＣＰＵ１７は、キー入力部１３からのデータ入力待ちの状態となっている（ステップＳ１）。すなわち、使用者によるキー操作の入力待ちの状態となっている。使用者がキー操作を行ったこと（所定のキーの押し下げが行われたこと）に応じて、ＣＰＵ１７はキー入力部１３からのデータ入力を示す信号を入力すると（ステップＳ１のＹ）、現在、キー操作のロックがかかった状態であるかどうかを判定する（ステップＳ２）。キー操作のロックがかかっていない状態であると判定した場合は（ステップＳ２のＮ）、ステップＳ９の処理に移行する。
【００３５】
キー操作のロックがかかった状態であると判定した場合には（ステップＳ２のＹ）、ＣＰＵ１７は、ロック解除入力画面を表示するように表示部１２に指示して表示画面にロック解除入力画面を表示させる（ステップＳ３）。ＣＰＵ１７は、キー入力部１３からの解除用のキー操作に応じた信号の入力待ちの状態になる（ステップＳ４）。すなわち、使用者による解除用のキーの操作待ちの状態になる。使用者が解除用のキー操作を行ったこと（解除用のキーの押し下げが行われたこと）に応じて、ＣＰＵ１７はキー入力部１３からの解除用のキー操作に応じた信号を入力すると（ステップＳ４のＹ）、ＣＰＵ１７は、ＧＰＳ部１５に対して現在の位置情報を取得するように指示する。ＧＰＳ部１５は、複数のＧＰＳ衛星から発信される電波を受信し、受信した電波にもとづいて現在位置（現在地）の緯度および経度を示す位置情報を取得する。そして、ＧＰＳ部１５は、取得した位置情報をＣＰＵ１７に出力する（ステップＳ５）。
【００３６】
ＣＰＵ１７は、ＧＰＳ部１５から出力された位置情報を入力すると、その位置情報にもとづいて現在地がセキュリティエリアとして登録されている場所であるかどうかを判定する（ステップＳ６）。具体的には、ＣＰＵ１７は、メモリ１６の所定領域に登録されているセキュリティエリアの中心位置の位置情報を読み出す。そして、ＣＰＵ１７は、メモリ１６から読み出した中心位置の位置情報とＧＰＳ部１５から取得した現在位置の位置情報にもとづいて、現在位置とセキュリティエリアの中心位置と現在位置との距離を算出する。そして、ＣＰＵ１７は、算出した距離が所定範囲内であるかどうかを確認することによってセキュリティエリア内であるかどうかを判定する。
【００３７】
現在地がセキュリティエリアとして登録されている場所であると判定した場合は（ステップＳ６のＹ）、ＣＰＵ１７は、セキュリティエリア内と設定する（ステップＳ７）。例えば、メモリ１６の所定領域にセキュリティエリア内に存在することを示すフラグをセットする。このとき、ＣＰＵ１７は、ロックを解除する制御も実行する。具体的には、メモリ１６の領域にセットされているロック制御中であることを示すフラグをリセットする。そして、ＣＰＵ１７は、一定時間毎の位置情報取得処理（セキュリティエリア判定処理；図４参照）を開始する（ステップＳ７）。その後、ステップＳ９の処理に移行する。
【００３８】
一方、現在地がセキュリティエリアとして登録されている場所でないと判定した場合は（ステップＳ６のＮ）、ＣＰＵ１７は、セキュリティエリア内との設定を解除する（ステップＳ８）。例えば、メモリ１６の所定領域にセットされているセキュリティエリア内に存在することを示すフラグをリセットする。そして、ＣＰＵ１７は、ロック解除操作の実行を促すために、表示部１２に指示して、ロック解除操作の実行を要求するロック解除操作要求画面を表示させ、ロック解除操作の実行待ちの状態になる（ステップＳ１０）。ここで、ロック解除の操作としては、従来から利用されているロックを解除する方法が用いられる。例えば、パスワード入力による方法や、カメラが撮影した画像を利用した顔認証による方法、指紋認証による方法、Ｆｅｌｉｃａ（登録商標）機能を用いたＩＤ識別による方法、近距離無線通信における無線キーを用いたＩＤ識別による方法などである。使用者によってロック解除の操作が行われたときは（ステップＳ１０のＹ）、ＣＰＵ１７は、携帯電話機１０の正当な使用者であると判断し、ロックを解除する制御を実行する。具体的には、メモリ１６の領域にセットされているロック制御中であることを示すフラグをリセットする。そして、ステップＳ９の処理に移行する。
【００３９】
ステップＳ９では、ＣＰＵ１７は、キー入力に応じた処理を（使用者によるキー操作に応じた各種処理）を実行する。その後、所定時間無操作が継続してロックが自動的にかけられるまで、ステップＳ２の処理で、キー操作のロックがかかっていない状態であると判定されるため（ステップＳ２のＮ）、キー入力に応じた処理が実行される。
【００４０】
図４は、実施の形態１における携帯電話機の位置情報取得処理を示すフローチャートである。位置情報取得処理は、図３のステップＳ７でセキュリティエリア内との設定が行われたことにもとづいて開始される。
【００４１】
位置情報取得処理において、ＣＰＵ１７は、まず、タイマ部１４からの一定時間経過を示す信号を入力したか否かを確認する（ステップＳ７１）。一定時間経過を示す信号を入力すると（ステップＳ７１のＹ）、ＣＰＵ１７は、ＧＰＳ部１５に対して現在の位置情報を取得するように指示する。ＧＰＳ部１５は、複数のＧＰＳ衛星から発信される電波を受信し、受信した電波にもとづいて現在位置（現在地）の緯度および経度を示す位置情報を取得する。そして、ＧＰＳ部１５は、取得した位置情報をＣＰＵ１７に出力する（ステップＳ７２）。
【００４２】
ＣＰＵ１７は、ＧＰＳ部１５から出力された位置情報を入力すると、その位置情報にもとづいて現在地がセキュリティエリアとして登録されている場所であるかどうかを判定する（ステップＳ７３）。なお、このセキュリティエリア判定処理は、ステップＳ６で説明した処理と同様の処理である。
【００４３】
現在地がセキュリティエリアとして登録されている場所であると判定した場合は（ステップＳ７３のＹ）、ステップＳ７１の処理に戻る。一方、現在地がセキュリティエリアとして登録されている場所でないと判定した場合は（ステップＳ７３のＮ）、ＣＰＵ１７は、セキュリティエリア内との設定を解除する（ステップＳ７４）。すなわち、メモリ１６の所定領域にセットされているセキュリティエリア内に存在することを示すフラグをリセットする。これにより、位置情報取得処理が終了される。また、タイマ部１４による一定時間の計測も停止される。このとき、携帯電話機１０のセキュリティを確保すべく、セキュリティエリア内との設定を解除したタイミングでＣＰＵ１７がロックをかける制御を実行する。
【００４４】
なお、「一定時間」としては例えば１０分、３０分、１時間などの時間が想定される。「一定時間」をあまりに長い時間にするとセキュリティを確保することができず、あまりに短い時間にすると位置情報取得処理が頻繁に実行され消費電力が増加してしまうので、目的にあった適切な時間に設定される。
【００４５】
以上のように、この実施の形態１では、ロック解除時にセキュリティエリアかどうかを判定し、セキュリティエリアかどうか（安全性の高い場所か低い場所か）に応じて携帯電話機１０のセキュリティを変更しているので、高いセキュリティを確保した上で、操作性の向上と消費電力の抑制を同時に実現することができる。
【００４６】
具体的には、セキュリティエリアを安全なエリアであるとみなし、このエリア内でのロック解除の操作を楽な操作に設定するので（解除用のキーを押し下げするだけでロックが解除されるので）、ロック解除に伴う使用者の手間が軽減され、携帯電話機１０の操作性を向上させることができる。一方、セキュリティエリア外を危険なエリアであるとみなし、ロック解除の操作を従来通りの操作に設定するので（従来から行われているパスワード認証、指紋認証などでロックが解除されるので）、高いセキュリティを確保することができる。また、セキュリティエリア外では位置情報取得処理が実行されないので、携帯電話機１０の消費電力を抑制することができる。一方、セキュリティエリア内では位置情報取得処理が実行されるが、このエリアは使用者の自宅などのエリアであり、使用者が容易に携帯電話機１０を充電可能である（よって、使用者にとってある程度の電力消費は気にならないと思われる）。従って、定期的に位置情報取得処理を実行して高いセキュリティを確保することを優先している。
【００４７】
さらに、携帯電話機１０はＧＰＳ部１５を備え（ＧＰＳ機能を備え）、ＧＰＳを利用して位置情報を取得しているので、高い精度で現在位置を測位することができ、ある程度狭い範囲にセキュリティエリアを設定することも可能である。その結果、より一層、高いセキュリティを確保することができる。
【００４８】
また、キー操作が行われてから所定時間経過したときに自動的にロックをかけるように制御されているので、使用者がロックの設定し忘れなどを心配する必要もなく、高いセキュリティを確保することができる。
【００４９】
なお、上記の実施の形態１では、携帯電話機１０の現在位置がセキュリティエリア内である場合でも、ロック解除の操作として使用者に解除用のキーを押し下げさせるようにしていたが、セキュリティエリア内である場合は通常のキー操作（ステップＳ１のＹ）に応じて自動的にロックを解除するようにしてもよい。すなわち、ステップＳ３，４の処理を省略してもよい。
【００５０】
また、ロック状態に制御する条件は、所定時間無操作が継続されたこととしていたが、このような条件に限られず、折り畳み式携帯電話機であれば折り畳んだとき（閉じたとき）にロック状態に制御するようにしてもよい。
【００５１】
実施の形態２．
上記の実施の形態１では、セキュリティエリア内に携帯電話機１０が存在しているときは、簡単な操作でロックを解除するように構成されていたが、セキュリティエリア内であっても携帯電話機１０のセキュリティを確保しなければならない状況も考えられる。そこで、この実施の形態２では、セキュリティエリア内であっても所定の条件が成立したときはロックをかけるように構成したものである。なお、携帯電話機１０の構成については図１に示した構成と同様であるため、説明を省略する。
【００５２】
図５は、実施の形態２における携帯電話機のロック解除処理を示すフローチャートである。実施の形態２のロック解除処理において、ＣＰＵ１７は、キー入力部１３からのデータ入力待ちの状態となっている（ステップＳ１）。そして、使用者がキー操作を行ったこと（所定のキーの押し下げが行われたこと）に応じて、ＣＰＵ１７がキー入力部１３からのデータ入力を示す信号を入力すると（ステップＳ１のＹ）、ＣＰＵ１７は、現在、キー操作のロックがかかった状態であるかどうかを判定する（ステップＳ２）。ここでのロックがかかった状態とは、実施の形態１の場合と同様に、所定時間無操作が継続されたことによって自動的にロックがかかった状態であることを意味する。キー操作のロックがかかった状態であると判定した場合には（ステップＳ２のＹ）、ステップＳ３の処理に移行する。
【００５３】
キー操作のロックがかかっていない状態であると判定した場合は（ステップＳ２のＮ）、ＣＰＵ１７は、操作ロック条件が成立しているかどうかを判定する（ステップＳ２１）。ここで、操作ロック条件とは、ロックをかけるための条件（ロック状態に制御するための条件）をいう。この実施の形態２では、操作ロック条件として、携帯電話機１０がセキュリティエリア内に存在するかセキュリティエリア外に存在するかを問わずにロック状態に制御する条件（以下、第１操作ロック条件という）と、携帯電話機１０がセキュリティエリア内に存在しているときにロック状態に制御する条件（以下、第２操作ロック条件という）とが設けられている。
【００５４】
第１操作ロック条件は、所定時間無操作が継続されたことという条件（すなわち、実施の形態１の場合と同様のロック状態の設定条件）である。第２操作ロック条件は、使用者が予め携帯電話機１０の機能設定にてセキュリティエリア内でもロックをかけることを選択（設定）したという条件である。なお、第２操作ロック条件はこのような条件に限られるわけではなく、例えば、所定時間無操作が継続されたことという条件であってもよい。この場合、「所定時間」は第１操作ロック条件における「所定時間」と同じ時間であっても異なる時間であってもよい。
【００５５】
ステップＳ２における操作ロック中であるか否かは、第１操作ロック条件が成立したことにもとづいてキー操作のロックがかかっているかどうかの判定である。また、ステップＳ２１における操作ロック条件が成立しているか否かは、第２操作ロック条件が成立しているか否かの判定である。
【００５６】
ステップＳ２１において、第２操作ロック条件が成立していない（使用者がセキュリティエリア内でもロックをかけることを選択していない）場合は（ステップＳ２１のＮ）、ＣＰＵ１７は、ステップＳ９の処理に移行して、キー入力に応じた処理を実行する（ステップＳ９）。一方、第２操作ロック条件が成立した（使用者がセキュリティエリア内でもロックをかけることを選択した）場合は（ステップＳ２１のＹ）、ステップＳ３の処理に移行する。
【００５７】
なお、ステップＳ３〜Ｓ６の処理は、図３に示した処理と同様であるため、重複する説明を省略する。
【００５８】
ステップＳ６において、現在地がセキュリティエリアとして登録されている場所でないと判定した場合は（ステップＳ６のＮ）、ＣＰＵ１７は、セキュリティエリア外と設定する（ステップＳ２２）。例えば、メモリ１６の所定領域にセキュリティエリア外に存在することを示すフラグをセットする。そして、ＣＰＵ１７は、操作ロック条件を通常状態に変更する（ステップＳ２２）。すなわち、操作ロック条件を第１操作ロック条件に変更する。そして、ＣＰＵ１７は、ロック解除操作の実行を促すために、表示部１２に指示して、ロック解除操作の実行を要求するロック解除操作要求画面を表示させ、ロック解除操作の実行待ちの状態になる（ステップＳ２４）。ここで、第１操作ロック条件に対応するロック解除の操作としては、精度の高い使用者認証を行うための操作が用いられる。例えば、指紋認証や画像による顔認証などである。使用者によってロック解除の操作が行われたときは（ステップＳ２４のＹ）、ＣＰＵ１７は、携帯電話機１０の正当な使用者であると判断し、ロックを解除する制御を実行する。具体的には、メモリ１６の領域にセットされているロック制御中であることを示すフラグをリセットする。そして、ＣＰＵ１７は、ステップＳ９の処理に移行して、キー入力に応じた処理を実行する。
【００５９】
ステップＳ６において、現在地がセキュリティエリアとして登録されている場所であると判定した場合は（ステップＳ６のＹ）、ＣＰＵ１７は、セキュリティエリア内と設定する（ステップＳ２３）。例えば、メモリ１６の所定領域にセキュリティエリア内に存在することを示すフラグをセットする。このとき、実施の形態１の場合と異なり、ＣＰＵ１７は、ロックを解除する制御を実行しない。そして、ＣＰＵ１７は、操作ロック条件をセキュリティエリア用に変更する（ステップＳ２３）。すなわち、操作ロック条件を第２操作ロック条件に変更する。なお、図５のステップＳ２３には示していないが、携帯電話機１０がセキュリティエリア内と判定された場合は、実施の形態１の場合と同様に、一定時間毎の位置情報取得処理（セキュリティエリア判定処理；図４参照）が開始される。そして、ＣＰＵ１７は、ロック解除操作の実行を促すために、表示部１２に指示して、ロック解除操作の実行を要求するロック解除操作要求画面を表示させ、ロック解除操作の実行待ちの状態になる（ステップＳ２４）。ここで、第２操作ロック条件に対応するロック解除の操作は、使用者の操作負担を軽減するために、使用者にとって簡単に行える操作とされている。例えば、パスワードを入力する操作などである。この場合は、使用者の負担がかからない操作であれば比較的精度の低い使用者認証でもよいものとする。使用者によってロック解除の操作が行われたときは（ステップＳ２４のＹ）、ＣＰＵ１７は、携帯電話機１０の正当な使用者であると判断し、ロックを解除する制御を実行する。具体的には、メモリ１６の領域にセットされているロック制御中であることを示すフラグをリセットする。そして、ＣＰＵ１７は、ステップＳ９の処理に移行して、キー入力に応じた処理を実行する。
【００６０】
その後、第１操作ロック条件が成立（所定時間無操作が継続）してロックが自動的にかけられると、ステップＳ２で操作ロック中であると判断されて（ステップＳ２のＹ）、ステップＳ３以降の処理に移行される。また、第１操作ロック条件が成立していない場合でも、第２操作ロック条件が成立している場合は（ステップＳ２１のＹ）、ステップＳ３以降の処理に移行される。
【００６１】
以上のように、この実施の形態２では、携帯電話機１０がセキュリティエリアに存在している場合でも所定の条件の成立によりロックがかけられるので、セキュリティエリア内における携帯電話機１０のセキュリティも確保することができる。また、携帯電話機１０がセキュリティエリア内に存在するときは、ロック解除の操作を簡単な操作に設定しているので、ロック解除の操作に伴う使用者の負担（手間）は増大せず、携帯電話機１０の操作性は低下しない。
【００６２】
なお、上記の実施の形態１，２では、セキュリティエリア内に携帯電話機１０が存在しているときにロックをかける条件（第２操作ロック条件）として、使用者がセキュリティエリア内でもロックをかけることを選択したこと（ステップＳ２１参照）としていたが、一定時間（セキュリティエリア内にいるときの位置情報を取得する期間）よりも長い時間、携帯電話機１０のセキュリティエリア外への移動が検出されなかったことを第２操作ロック条件としてもよい。
【００６３】
また、セキュリティエリア内からセキュリティエリア外への携帯電話機１０の移動を検出したことを条件にロックをかけるように制御してもよい。また、携帯電話機１０の現在位置がセキュリティエリア外であるときに所定時間無操作が継続されたことを条件として、ロックをかけるように制御してもよい。
【００６４】
なお、上記の実施の形態１，２では、セキュリティ機能を備えた携帯電話機１０について説明したが、使用者の個人情報や機密情報などが保存されている携帯可能な端末であれば、携帯電話機１０に限られず、ＰＨＳや携帯型のパーソナルコンピュータなどの端末であってもよい。
【産業上の利用可能性】
【００６５】
本発明は、個人情報などを保存している携帯端末装置に適用され、特に、個人情報を保存し、財布としての機能も備えた携帯電話機に適用される。
【図面の簡単な説明】
【００６６】
【図１】本発明の携帯電話機の構成を示すブロック図である。
【図２】セキュリティエリアの例を示す説明図である。
【図３】実施の形態１における携帯電話機のロック解除処理を示すフローチャートである。
【図４】実施の形態１における携帯電話機の位置情報取得処理を示すフローチャートである。
【図５】実施の形態２における携帯電話機のロック解除処理を示すフローチャートである。
【符号の説明】
【００６７】
１０  携帯電話機
１２  表示部
１３  キー入力部
１４  タイマ部
１５  ＧＰＳ部
１６  メモリ
１７  ＣＰＵ
【図１】
2008227758.tif 000003
【図２】
2008227758.tif 000004
【図３】
2008227758.tif 000005
【図４】
2008227758.tif 000006
【図５】
2008227758.tif 000007